(57)【要約】【課題】  本考案は、樹高２ｍ位までの樹木を対象とし、紐、縄等を用いて容易に、且つ、強固な雪囲いが短時間で出来る支柱を提供する事にある。【解決手段】  弾性を有する竹、合成樹脂、金属等の素材で、長さ方向に湾曲形状または直形状を呈した棒状部材を支柱体とし下端を楔状に加工する。その支柱体の上方側面に、結束帯を支柱体へビスで遊嵌して取り付ける事で結束帯の回動を可能する。また、支柱体の側面に貫通させて棒状部材の両先端部分を適宜な長さで突出させて取り付けて凸部を形成させ、その凸部を適宜間隔に設ける事で上記課題を解決する。【選択図】  図１
0003129934.tif 000002
【実用新案登録請求の範囲】
【請求項１】
（イ）弾性を有する棒状部材を支柱体とし、その下端を楔状に加工する。
（ロ）支柱体の上方側面に、結束帯を支柱体へビスで遊嵌して取り付ける事で結束帯の回動を可能とする。
（ハ）支柱体の側面に貫通させて棒状部材の両先端部分を適宜な長さで突出させて取り付けて凸部を形成させ、その凸部を適宜間隔に設ける。
以上（イ）、（ロ）、（ハ）の構造からなる雪囲い支柱。
【考案の詳細な説明】
【技術分野】
【０００１】
本考案は、樹木等を雪害等から保護するための、雪囲い等に使用する支柱に関するものである。
【背景技術】
【０００２】
従来、樹高２メートル位までの樹木の雪囲いは、竹、木材、加工された棒状材等を支柱として、保護する樹木等の周囲に複数の支柱を立て、支柱自体に紐、縄等を螺旋状等に巻き付ける、水平に数段巻き付けて縛る等が一般的に行われているが、この方法は雪害等に充分に耐える用に紐、縄等を巻き付ける、縛るには熟練を要する。また、紐、縄等の固定の不備が原因となる枝折れ被害も生じる。さらに、多くの時間を要し労働的に大きな負担となる等の問題点も有している。
【０００３】
近年、雪囲い（冬囲い）に紐、縄等を使用する物として、棒状部材を多角錐状に組んで、その外周に弾性紐状部材を巻き付けてなる組み立て式植木用雪囲い（特許文献１参照）や、ポールに配したリングに紐を通してなる冬囲い用ポール並びに冬囲い用ポールジョイント（特許文献２参照）、および、棒先端に穴をあけ、棒間に突起物を配してなる冬囲い用具（特許文献３参照）等が知られている。
【０００４】
【特許文献１】特許公開２００２―１１２６４５公報
【特許文献２】特許公開Ｈ０９―２８９８３７公報
【特許文献３】実用新案公開平０５―８０２４９公報
【考案の開示】
【考案が解決しようとする課題】
【０００５】
樹高２ｍ位までの樹木を対象とし、紐、縄等を用いて容易に短時間で、且つ、強固な雪囲いが出来る支柱を提供する事にある。
【課題を解決するための手段】
【０００６】
弾性を有する竹、合成樹脂、金属等の素材で、長さ方向に湾曲形状または直形状を呈した棒状部材を支柱体とし下端を楔状に加工する。その支柱体の上方側面に、結束帯を支柱体へビスで遊嵌して取り付ける事で結束帯の回動を可能する。また、支柱体の側面に貫通させて棒状部材の両先端部分を適宜な長さで突出させて取り付けて凸部を形成させ、その凸部を適宜間隔に設ける事で上記課題を解決する。
【考案の効果】
【０００７】
雪囲い支柱（以下、支柱という）を複数立設して上部を一ヶ所に纏める場合、結束帯が回動する事で結束する位置決めが容易となる。また、ワンタッチで着脱が出来るため取り付けも取り外しも簡単である。
【０００８】
立設した支柱への紐、縄等の巻き付けは、両面合せて二つある凸部に、襷がけ等で紐、縄等を巻き付けて行くだけであり、従来のように支柱自体に紐、縄等を巻き廻す必要がなく容易に且つ短時間で済む、取り外しは逆手順となるが効果は同様である。また、紐、縄等が凸部および凸部間で重なり合うため紐、縄等が緩みづらく強固な雪囲いとなる。
【０００９】
支柱は、被保護物の形体に合せて一本から複数本と、本数を自由に可変する事が可能なため使用の利便性が高いと共に経済的である。
【００１０】
雪囲いを必要としない春期〜秋期は、蔓性植物や野菜等の支柱として利用する等、年間を通して使用可能であるため汎用性が高い。
【考案を実施するための最良の形態】
【００１１】
支柱体の条件として、積雪の荷重等で折れ難い材質である事、次に、被保護体に合せやすい形状の棒状部材である事、その次に、地面へ突き刺し易い先端形状である事の三つが上げられる。以上の事から、弾性を有する竹、合成樹脂、金属等の素材で、湾曲形状または直形状を呈した径１０〜２０ｍｍ程度の棒状部材を支柱体として、支柱体の下端は地面に突き刺し易いように楔状に加工する。尚、支柱体の長さは、樹高２ｍ位までの樹木を対象とするため０．６〜２．５ｍ程度とする。
【００１２】
支柱を複数立設した際、上部で複数の支柱を纏めるために結束帯を取り付ける。その結束帯は回動する事で作業が容易となる。従って、結束帯をビスで遊嵌して取り付ける事で回動を可能する。その位置は、支柱体上端から下方５〜２０ｃｍの範囲の適宜な面とする。尚、結束帯はワンタッチ着脱が自在な差込固定タイプや面ファスナー等を用いる。
【００１３】
紐、縄等の巻き付け作業を容易に且つ短時間でしかも強固な雪囲いが出来るように、支柱体の側面に貫通させて、軸径２〜８ｍｍ程度のボルト、ネジ、ピン、釘、針金等の棒状部材を、支柱体の素材に合わせて挿着、接着、融着、溶接等の方法を選択し、片側５〜２５ｍｍ（ヘットを有するボルト等はヘット部分を除いた軸の長さとする）程度を突出させて取り付けて凸部を形成させ、その凸部を支柱体に適宜間隔に設ける。尚、棒状部材に金属を用いる場合は、作業時の安全性等を考慮し突出部分をキャップ等で被覆する事が望ましい。
【実施例】
【００１４】
以下、添付図面に従って一実施例について説明する。図１は実施例の斜視図で、Ｃは右側面、Ｄは正面である。この図は、湾曲形状の支柱体１１の下端を楔状１２に加工し、上端の右側面に結束帯２１を取り付け、支柱体１１に凸部３１を６ヶ所設けたものである。
【００１５】
図２は図１におけるＡ―Ａ線拡大図で、支柱体１１の上端の右側面に、結束帯２１の先端を穴２３に通して固定する差込固定タイプの結束帯２１にビス２２を遊嵌し取り付けたもので結束帯２１が回動する状態を示している。
【００１６】
図３は図１におけるＢ―Ｂ線拡大断面図で、支柱体１１の長さ方向に直交する貫通孔４１に、支柱体１１の両面（左右）にボルト３２の軸を突出させて押着し、突出したボルト３２のヘット側軸と先端側軸をキャップ３４で被覆し、ボルト３２の先端部分をナット３３で固定する事で凸部３１を形成させたものである。尚、キャップ３４は、ボルト３２のズレ防止と、寒冷期の作業時に冷え切った金属に皮膚が張り付く事を防止する等安全性の向上と装飾を兼ねて被覆したものである。
【００１７】
図４は立設の斜視図で、湾曲形状の支柱三本を三角形になるように地面に差し込んだ後、支柱上部を纏め結束帯２１で固定し、紐、縄等を水平に弾掛けした合掌式の立設例である。
【００１８】
本考案の一実施例は上記の構成からなるが、本考案は上記の実施例に限らず、形態や構造、大きさ等は適宜変更して実施される。
【図面の簡単な説明】
【００１９】
【図１】本考案の実施例の斜視図でＣは右側面、Ｄは正面である。
【図２】同の図１におけるＡ―Ａ線拡大図である。
【図３】同の図１におけるＢ―Ｂ線拡大断面図である。
【図４】同の立設の斜視図である。
【符号の説明】
【００２０】
１１  支柱体
１２  楔状
２１  結束帯
２２  ビス
２３  先端の穴
３１  凸部
３２  ボルト
３３  ナット
３４  キャップ
４１  貫通孔
５１  紐、縄等
６１  地面
【図１】
0003129934.tif 000003
【図２】
0003129934.tif 000004
【図３】
0003129934.tif 000005
【図４】
0003129934.tif 000006